(57)【要約】【課題】棒金払出装置のセキュリティ性を向上する。【解決手段】棒金を払い出す棒金払出装置であって、棒金の在庫を収納する棒金収納部と、作業者による前記棒金収納部の操作を検出する操作検出センサと、前記操作検出センサによって検出された操作の順序である作業者操作手順が、所定の正規手順から外れた不正操作か否かを検出する不正操作検出部と、前記不正操作検出部において不正操作を検出した場合に所定の不正操作抑制処理を実行する不正操作抑制部とを備えた棒金払出装置。【選択図】図２
2007328657.tif 000002
【特許請求の範囲】
【請求項１】
棒金を払い出す棒金払出装置であって、
棒金の在庫を収納する棒金収納部と、
作業者による前記棒金収納部の操作を検出する操作検出センサと、
前記操作検出センサによって検出された操作の順序である作業者操作手順が、所定の正規手順から外れた不正操作か否かを検出する不正操作検出部と、
前記不正操作検出部において不正操作を検出した場合に所定の不正操作抑制処理を実行する不正操作抑制部と、
を備えた棒金払出装置。
【請求項２】
請求項１記載の棒金払出装置であって、
前記不正操作検出部は、検出した不正操作を複数種の不正操作に区分し、それぞれの区分に応じて異なる不正操作抑制処理を実行することを特徴とする棒金払出装置。
【請求項３】
請求項２記載の棒金払出装置であって、
作業者に警告を与える警告処理部と、
前記棒金収納部を施錠する機能を有する施錠処理部とを備え、
前記複数種の不正操作は、不正度の低い第１種不正操作と不正度の高い第２種不正操作とを含み、
前記不正操作抑制部は、前記第１種不正操作に対する第１種不正操作抑制処理として、前記警告処理部に警告を行わせるとともに、前記第２種不正操作に対する第２種不正操作抑制処理として、前記施錠処理部に前記棒金収納部の施錠を行わせることを特徴とする棒金払出装置。
【請求項４】
請求項１ないし請求項３のいずれかに記載の棒金払出装置であって、
前記棒金収納部は、棒金を収納する複数の棒金収納トレーを備え、
前記正規操作手順は、前記棒金収納トレーの引出／収納の手順であることを特徴とする棒金払出装置。
【請求項５】
請求項１ないし請求項４のいずれかに記載の棒金払出装置であって、
外部にある管理部とネットワークを介して接続する通信部を備え、
前記通信部は、前記管理部へ不正操作の検出を報告することを特徴とする棒金払出装置。
【発明の詳細な説明】
【技術分野】
【０００１】
この発明は、棒金払出装置に関する。
【背景技術】
【０００２】
棒金払出装置とは、両替などの際に棒金（所定の枚数の硬貨を積層した状態で包装したもの）を払い出す硬貨取り扱い装置である。棒金払出装置には、コンビニエンスストアなどの店頭に設置され、利用客が直接操作するものがある。そのような棒金払出装置においては、棒金の在庫の補充作業は、店員などの作業者が設置場所である店頭において行うことになる。
【０００３】
そのような状況では、例えば強盗などの悪意をもった第三者によって作業者が棒金補充作業中に身動きを封じられた場合などに、棒金払出装置は無防備な状態にさらされる可能性がある。しかし、これまで棒金補充時の棒金払出装置の防犯対策には充分な工夫がなされてこなかった。
【０００４】
なお、本発明に関連する先行技術文献等に該当するものは発見されなかった。
【発明の開示】
【発明が解決しようとする課題】
【０００５】
本発明は、棒金払出装置のセキュリティ性を向上する技術を提供することを目的とする。
【課題を解決するための手段】
【０００６】
上記目的を達成するために、本発明の棒金払出装置は、棒金を払い出す棒金払出装置であって、棒金の在庫を収納する棒金収納部と、作業者による前記棒金収納部の操作を検出する操作検出センサと、前記操作検出センサによって検出された操作の順序である作業者操作手順が、所定の正規手順から外れた不正操作か否かを検出する不正操作検出部と、前記不正操作検出部において不正操作を検出した場合に所定の不正操作抑制処理を実行する不正操作抑制部とを備えている。
【０００７】
このような構成によれば、作業者の不正操作や、作業者以外の第３者による不正操作などを抑制することができる。
【０００８】
前記不正操作検出部は、検出した不正操作を複数種の不正操作に区分し、それぞれの区分に応じて異なる不正操作抑制処理を実行することを特徴とするものとしても良い。
【０００９】
このような構成によれば、棒金払出装置に、作業者等の操作が正規の操作手順から外れている度合いに応じて適切な処理をさせることができる。
【００１０】
上記の棒金払出装置は、作業者に警告を与える警告処理部と、前記棒金収納部を施錠する機能を有する施錠処理部とを備え、前記複数種の不正操作は、不正度の低い第１種不正操作と不正度の高い第２種不正操作とを含み、前記不正操作抑制部は、前記第１種不正操作に対する第１種不正操作抑制処理として、前記警告処理部に警告を行わせるとともに、前記第２種不正操作に対する第２種不正操作抑制処理として、前記施錠処理部に前記棒金収納部の施錠を行わせることを特徴とするものとしても良い。
【００１１】
このような構成によれば、棒金払出装置に対する操作が正規操作手順から外れた度合いが軽度であれば作業者の誤操作として警告を発することができる。また、正規操作手順から外れた度合いが重度であれば、作業者以外の操作手順を知らない第３者による不正操作として、棒金収納部をロックし、作業の続行を妨げることができる。
【００１２】
前記棒金収納部は、棒金を収納する複数の棒金収納トレーを備え、前記正規操作手順は、前記棒金収納トレーの引出／収納の手順であることを特徴とするものとしても良い。
【００１３】
このような構成によれば、棒金収納トレーに対する作業者の操作手順を基準に不正操作を検出できる。
【００１４】
上記の棒金払出装置は、外部にある管理部とネットワークを介して接続する通信部を備え、前記通信部は、前記管理部へ不正操作の検出を報告することを特徴とするものとしても良い。
【００１５】
このような構成によれば、棒金払出装置に対しての不正操作が検出された場合に、即座に外部の管理部へ報告することができる。
【００１６】
なお、本発明は、種々の形態で実現することが可能であり、例えば棒金払出装置、棒金払出装置を備えた現金取扱装置、棒金払出装置を備えた金融システムなどの形態で実現することができる。
【発明を実施するための最良の形態】
【００１７】
Ａ．第１実施例：
図１は本発明の一実施例として棒金払出装置の全体を示す斜視図である。棒金払出機１００は、棒金収納部２と、操作パネル３と、棒金払出口４とを備えている。なお、利用者が棒金払出機１００を利用する際には、棒金収納部２は棒金払出機１００の筐体１０１の中に格納されており、扉５は閉じられた状態である。
【００１８】
この棒金払出装置は、利用者が棒金払出機１００に対して棒金の払出を命じると、棒金収納部２に収納されている棒金の在庫を棒金払出口４より払い出す。利用者は、操作パネル３を操作したり、紙幣挿入口（図示せず）に紙幣を挿入するなどして棒金の払出を命じるものとしても良い。こうして利用者は、所定の棒金を受け取ることができる。
【００１９】
棒金払出機１００は、ソレノイドなどを用いて扉５をロックする扉ロック部８を備えており、また、扉５の開閉を検知する扉開閉検知センサ９を備えている。さらに、利用者や棒金払出機１００の保守・管理などに携わる作業者に警告などを発するためのブザー１２を備えている。
【００２０】
棒金収納部２には、複数の棒金トレー１０が配列した状態で収納されており、棒金トレー１０には棒金の在庫が収納されている。作業者が、棒金の在庫を補充する際には、補充が必要な棒金トレー１０を棒金収納部２から引き出し、棒金トレー１０に棒金を補充し、棒金収納部２に再び収納する。
【００２１】
棒金収納部２は、各棒金トレー毎に設けられたトレー固定ロック部６を備えている。トレー固定ロック部６は、棒金トレー１０を棒金収納部２に収納された状態で固定してしまうことによって、必要に応じ棒金トレー１０を棒金収納部２から引き出せなくするためのものである。トレー固定ロック部６は、各棒金トレー１０それぞれに対して設けられている。トレー固定ロック部６は、ソレノイドを用いて解錠／施錠機能を実現しているものとしても良い。
【００２２】
図２は、棒金払出機１００の内部構成を示すブロック図である。棒金払出機１００は、主制御部２００を備えている。主制御部２００は、センサ制御部２０１、ロック制御部２０２、ブザー制御部２０３、モータ制御部２０４、センター通信部２０５、正規操作手順記憶部２１０と接続され、棒金払出機１００の制御全般を司る。
【００２３】
センサ制御部２０１は、棒金払出機１００に備えられた各種のセンサ（上述の扉開閉検知センサ９や、後述するトレー用センサ３０など）の制御を行う。各センサからの信号は、センサ制御部２０１を通じて主制御部２００へと伝達される。
【００２４】
ロック制御部２０２は、主制御部２００からの命令を受けて、扉ロック部８やトレー固定ロック部６などの解錠／施錠の処理を行う。
【００２５】
ブザー制御部２０３は、主制御部２００からの命令を受けてブザー１２の動作制御を行う。モータ制御部２０４は、主制御部からの命令を受けて、棒金を払い出す際に、棒金トレー１０から棒金払出口４まで棒金を搬送する搬送部に用いられているモータなどの駆動系統全般を制御する。
【００２６】
センター通信部２０５は、ネットワークを介して外部にある管理センターと接続し、主制御部２００からの命令を受けて、管理センターへの報告の送信や管理センターからの命令の受信などを行う。
【００２７】
正規操作手順記憶部２１０は、作業者による棒金払出機１００に対する正しい操作手順（正規操作手順）を記憶している。主制御部２００は、適宜正規操作手順を参照し、作業者の操作手順が不正操作であるかの判断を行う（詳細は後述する）。
【００２８】
図３（Ａ）は、棒金収納部２を拡大した概略図である。棒金収納部２の内部には、棒金トレー１０のそれぞれに対して１組のトレー用センサ３０ａ、３０ｂが設けられている。トレー用センサ３０ａ、３０ｂは、例えば赤外線の発光部と受光部とで構成できる。なお、以下において、１組のトレー用センサ３０ａ、３０ｂを「トレー用センサ３０」と呼ぶ。
【００２９】
図３（Ｂ）は、棒金トレー１０のうちの棒金トレー１０ａが引き出された状態を示している。図３（Ｂ）に示すように棒金トレー１０ａが引き出されると、発光部３０ａからの赤外線を、受光部３０ｂが検知し、第１の変化点として主制御部２００へ報告する。ここで「第１の変化点」とは、複数組のトレー用センサ３０のうちの任意の１組がオフ（非受光）からオン（受光）に切り替わった事象を意味する。
【００３０】
また、棒金トレー１０ａが再び棒金収納部２に収納され、図３（Ａ）に示す状態に戻されると、発光部３０ａからの赤外線が棒金トレー１０ａにより遮られたことを受光部３０ｂが検知し、第２の変化点として主制御部２００へ報告する。ここで「第２の変化点」とは、複数組のトレー用センサ３０のうちの任意の１組がオン（受光）からオフ（非受光）に切り替わった事象を意味する。
【００３１】
以下に、図３（Ａ）に示した棒金トレー１０ａ〜１０ｃに対して棒金を補充する場合を想定する。図４（Ａ）、（Ｂ）は、第１実施例としての正規操作手順情報Ｉｒと具体例としての作業者の２通りの実行手順を示す説明図である。
【００３２】
図５は、棒金払出機１００への不正操作を検出する主制御部２００における処理手順を示したフローチャートである。以下に、図５に示す処理手順に即して、図４（Ｂ）の２通りの実行手順４１、４２で操作が行われた場合について説明する。
【００３３】
本実施例においては、図４（Ａ）に示すように、主制御部２００は、トレー用センサ３０が検知した第１の変化点を「１」、第２の変化点を「０」とする２進数として認識するものとする。主制御部２００は、トレー用センサ３０の検出した作業者の操作を操作回数を重ねるごとに下位ビットに追加して、実行手順情報Ｉとして記憶していく。従って、実行手順情報Ｉは、ｎ回の操作後にはｎビットのデータとなる。
【００３４】
また、図４（Ａ）に示すように、本実施例において正規操作手順として、棒金トレー１０が引き出された後の操作は必ず棒金トレー１０が収納される動作を定義する（正規操作手順情報Ｉｒ＝”１０”）。また、不正操作手順として、棒金トレー１０が引き出された後に、棒金トレー１０が収納されることなく、別の棒金トレー１０が引き出される動作を定義する（不正操作手順情報Ｉｗ＝”１１”）。なお、図４（Ａ）に示された上記のような定義が、正規操作手順記憶部２１０に記憶されている。
【００３５】
主制御部２００が、作業者の操作手順が正規操作手順であるか否かの判断は、操作回数が奇数回のときには、実行手順情報Ｉの最下位ビットと正規操作手順情報Ｉｒの上位１ビットと比較しておこなう。また、操作回数が偶数回のときには、実行手順情報Ｉの最下位ビットと正規操作手順情報Ｉｒの下位１ビットとを比較しておこなう。
【００３６】
まず、図４（Ｂ）の第１の実行手順４１の例に基づいて説明する。主制御部２００は、トレー用センサ３０において第１の変化点あるいは第２の変化点のいずれも検出しない場合は待機状態のままである（図５；ステップＳ５１０）。
【００３７】
１回目の操作で作業者は棒金トレー１０ａを引き出す。主制御部２００は、トレー用センサ３０において検出した変化点に応じて実行手順情報Ｉを更新する（ステップＳ５２０）。この場合は、実行手順情報Ｉとして「１」が記録される。
【００３８】
次に、更新された実行手順情報Ｉを正規操作手順であるかを判断する（ステップＳ５３０）。今回は正規操作手順であるので、主制御部２００は再び待機状態に入る。なお、作業者による操作が１回目である場合は、主制御部２００は、正規操作手順であるかの判断は省略し、２回目の操作を待つ待機状態に入るものとしても良い。
【００３９】
２回目の操作として作業者は、引き出した棒金トレー１０ａを収納することなく、次の棒金トレー１０ｂを引き出す。今回は、更新した実行操作情報Ｉが正規操作手順情報Ｉｒと一致せず、主制御部２００は、作業者の不正操作として判断し（ステップＳ５３０）、以下の不正操作抑制処理を実行する。
【００４０】
具体的には、主制御部２００は、センター通信部２０５を通じて外部の管理センターへ不正操作の検出を報告する（ステップＳ５４０）。また、主制御部２００は、ロック制御部２０２に対して棒金収納部２のトレー固定ロック部６の施錠命令を出し、全ての棒金トレー１０を引き出せない状態にする（ステップＳ５５０）。
【００４１】
次に、第２の実行手順４２（図４（Ｂ））に基づいて説明する。第２の実行手順４２においては、作業者は、１回目の操作で棒金トレー１０ａを引き出し、２回目の操作で引き出された棒金トレー１０ａを収納している。そのため実行手順情報Ｉは「１０」となり、２回目の操作では不正と判断されることはない。
【００４２】
また、作業者は、３回目の操作で棒金トレー１０ｂを引き出し、４回目の操作で棒金トレー１０ｃをさらに引き出している。この場合では、４回目の操作の後に更新された実行操作情報Ｉと正規操作手順Ｉｒは一致しないため、不正操作として判断される。従って、上記の不正操作抑制処理（ステップＳ５４０〜Ｓ５５０）が実行される。
【００４３】
実際の作業者は、正規操作手順情報Ｉｒの内容を知っていれば、その手順に従って操作し、問題なく棒金の補充作業を行うことができる。従って、例えば、正規操作手順情報Ｉｒの内容を知らない強盗などが棒金収納部２から棒金を奪おうとして正規操作手順情報Ｉｒと異なる操作手順を行った場合などには、上記不正操作抑制処理によりその被害を抑制することができる。
【００４４】
なお、上記不正操作抑制処理が行われたとしても作業者が操作パネル３から所定のパスワードを入力すれば再び作業可能な状態へ復帰できるなどの、復帰手段があるものとしても良い。
【００４５】
Ｂ．第２実施例：
図６（Ａ）、（Ｂ）は、第２実施例における正規操作手順と、具体例としての２通りの実行手順とを示す説明図である。図６（Ａ）、（Ｂ）は、トレーカウンタ値Ｎ（後述）についての記述が追加されている点以外は、図４（Ａ）、（Ｂ）とほぼ同じである。なお、第２実施例は、正規操作手順であるか否かの判断をトレーカウンタ値Ｎによって行う点が第１実施例と異なるだけであり、装置構成および図５の処理手順は、第１実施例と同じである。
【００４６】
図６（Ａ）に示すように、トレーカウンタ値Ｎは初期値が「０」の１０進数の変数である。トレーカウンタ値Ｎは、棒金トレー１０が引き出されたときには、「１」加算され（Ｎ＝Ｎ＋１）、棒金トレー１０が収納されたときには、図５に示すステップＳ５２０において「１」減算される（Ｎ＝Ｎ−１）。即ち正規操作手順で操作された場合にはトレーカウンタ値Ｎは「１」以下の値であり、不正操作手順で操作された場合には、トレーカウンタ値Ｎは「２」になる。
【００４７】
従って、図６（Ｂ）に示すように、第１の実行手順４１においは２回目の操作でトレーカウンタ値Ｎは「２」となり、第２の実行手順４２においては４回目の操作でトレーカウンタ値Ｎは「２」となり、それぞれ不正操作として判断されている。なお、図６（Ｂ）においては、トレーカウンタ値Ｎが「２」であるときは丸で囲み図示してある。
【００４８】
従って、本実施例においては、実行手順情報Ｉおよび正規操作手順情報Ｉｒ、不正操作手順情報Ｉｗを記憶しておく必要はなく、正規操作手順であるか否かの判断（図５；ステップＳ５３０）は、トレーカウンタ値Ｎにより行うことができる。
【００４９】
Ｃ．第３実施例：
図７（Ａ）、（Ｂ）は、第３実施例における正規操作手順と、具体例としての２通りの実行手順とを示す説明図である。図７（Ａ）、（Ｂ）は、正規操作手順以外の操作手順の定義が異なる点と、２通りの実行手順がそれぞれ異なる点以外は、図６（Ａ）、（Ｂ）とほぼ同じである。
【００５０】
図８は、第３実施例における主制御部２００の処理手順を示すフローチャートである。図８は、図５の手順に、誤操作と不正操作との判断処理（ステップＳ８００）と、誤操作に対する不正操作抑制処理（ステップＳ８１０、Ｓ８２０）を追加してある点以外は、図５と同じである。なお、第３実施例における装置構成は、第１実施例および第２実施例と同じである。
【００５１】
図７（Ａ）に示すように、第３実施例では、２つの棒金トレー１０を続けて引き出す操作を「誤操作」として定義する（誤操作手順情報Ｉｗ１＝”１１”）。誤操作の後にさらに棒金トレー１０を引き出す操作を「不正操作」とする（不正操作手順情報Ｉｗ２＝”１１１”）。
【００５２】
トレーカウンタ値Ｎは、第１実施例と同様の手順で更新される。従って、誤操作のときは、トレーカウンタ値Ｎは「２」となり、不正操作のときはトレーカウンタ値Ｎは「３」になる。つまり正規操作手順として判断されるのは、トレーカウンタ値Ｎが１以下のときである。従って、誤操作をした場合（トレーカウンタ値Ｎ＝２）であっても、その後に棒金トレー１０を収納すれば、トレーカウンタ値は「１」となり、後述するように正規操作手順へと復帰できる（正規操作復帰手順情報Ｉｗ３＝”１１０”）。
【００５３】
なお、図７（Ｂ）において、誤操作のときのトレーカウンタ値Ｎには「※」が付され、不正操作のときのトレーカウンタ値Ｎは丸で囲んで示してある。
【００５４】
図７（Ｂ）に示す２通りの実行手順７１、７２を図８の処理手順に即して説明する。第１の実行手順７１は、棒金トレー１０ａが引き出された後、棒金トレー１０ｂが引き出され、さらに棒金トレー１０ｃが引き出されたことを示している。
【００５５】
１回目の操作では、トレーカウンタ値Ｎは「１」であり、正規操作手順として判断される（ステップＳ５３０）。しかし２回目の操作では、トレーカウンタ値Ｎは「２」となり、正規操作手順ではないと判断されるため、次に誤操作であるか不正操作であるかの判断がなされる（ステップＳ８００）。
【００５６】
２回目の操作においては、トレーカウンタ値Ｎは「２」であるため、誤操作として判断され、第１種の不正操作抑制処理を実行する（ステップＳ８１０）。この第１種の不正操作抑制処理は、第３実施例においては、ブザー１２による警告である。
【００５７】
３回目の操作においては、主制御部２００は、ステップＳ８００において不正操作として判断し、第２種の不正操作抑制処理を実行する（ステップＳ５４０、Ｓ５５０）。この第２種の不正操作抑制処理は、全棒金トレー１０のロックであり、第１実施例および第２実施例と同じものである。
【００５８】
次に第２の実行手順７２について説明する。第２の実行手順７２は、２回目の操作までは第１の実行手順７１と同じである。２回目の操作の後、ブザー１２による警告を受けている作業者は、３回目の操作で棒金トレー１０ｂを収納する。すると、トレーカウンタ値Ｎは「１」に戻り（ステップＳ５２０）、ステップＳ５３０において正規操作手順として判断される（正規操作手順への復帰）。このとき、第１種の不正操作抑制処理のブザー１２が鳴り続けていたならば、ステップＳ８２０においてブザー１２は停止する。
【００５９】
４回目の操作で作業者が、未収納の棒金トレー１０ａを収納すれば、トレーカウンタ値Ｎは「０」となり、他の棒金トレー１０に対して作業必要な場合には作業を続行できる。４回目の操作で棒金トレー１０ａを未収納のまま他の棒金トレー１０を引き出すと、トレーカウンタ値Ｎは「２」となり、ステップＳ８００において誤操作として判断され、再び第１種の不正操作抑制処理が実行される（ステップＳ８１０）。なお、所定回数の誤操作を繰り返した場合は、不正操作と判断され、第２種の不正操作抑制処理が実行されるものとしても良い。
【００６０】
このように、正規操作手順から外れた作業者の操作手順を、誤操作と不正操作のように複数の種類に区分し、それぞれに応じた不正操作抑制処理がなされるものとすることができる。
【００６１】
Ｄ．第４実施例：
図９（Ａ）、（Ｂ）は、第４実施例における正規操作手順と、具体例としての２通りの実行手順とを示す説明図である。図９（Ａ）、（Ｂ）は、操作トレー番号ＴＮと、ｎ個の配列変数である正規トレー番号ＴＮｒ（ｎ）が設定されている点と、２通りの実行手順が異なる点以外は、図６（Ａ）、（Ｂ）とほぼ同じである。なお、第４実施例における装置構成および図５の処理手順は、第１実施例と同じである。
【００６２】
第４実施例においては、全ての棒金トレー１０にはそれぞれ、予めトレー番号が付されている。ｍ個の棒金トレー１０があるとした場合、トレー番号は１〜ｍの値がそれぞれの棒金トレー１０に付されている。なお、棒金トレー１０ａのトレー番号は「１」とし、棒金トレー１０ｂのトレー番号は「２」、棒金トレー１０ｃのトレー番号は「３」とする。
【００６３】
主制御部２００は、トレー用センサ３０から変化点の検出を受け取ると、その変化点を検出したトレー用センサ３０がどの棒金トレー１０のセンサであるかを識別し、操作対象となっている棒金トレー１０のトレー番号を操作トレー番号ＴＮに代入し、操作トレー番号ＴＮを更新する。
【００６４】
従って、第４実施例においては、図９（Ａ）に示すように、棒金トレー１０ａが操作されると、操作トレー番号ＴＮには「１」が代入され、棒金トレー１０ｂが操作されると操作トレー番号ＴＮには「２」が代入され、棒金トレー１０ｃが操作されると操作トレー番号ＴＮには「３」が代入される。なお、この操作トレー番号ＴＮの更新処理は、図５のステップＳ５２０で行われる。
【００６５】
第４実施例においては、正規トレー番号ＴＮｒ（ｎ）が正規操作手順記憶部２１０（図２）に記憶されている。正規トレー番号ＴＮｒ（ｎ）には、ｎ回目の操作の時に操作対象となるべき棒金トレー１０のトレー番号が格納されている。即ち、１回目の操作の時は、正規トレー番号ＴＮｒ（１）＝１であり、正規操作手順であれば棒金トレー１０ａが操作対象となることを示している。２回目の操作では同じく棒金トレー１０ａが操作対象であり、同様に３〜４回目の操作では棒金トレー１０ｂが操作対象であり、５〜６回目の操作では棒金トレー１０ｃが操作対象となっている。
【００６６】
主制御部２００は、図５のステップＳ５３０において、ｎ回目の操作の時に正規トレー番号ＴＮｒ（ｎ）を参照し、その時の操作トレー番号ＴＮと比較し、一致すれば正規操作手順として判断し、一致しなければ不正操作手順として判断する。
【００６７】
図９（Ｂ）に示す第１の実行手順９１では、１回目の操作で棒金トレー１０ａを引き出し、２回目の操作で棒金トレー１０ａを収納し、３回目の操作で棒金トレー１０ｃを引き出しているため、不正操作として判断されている。
【００６８】
第２の実行手順９２では、２回目の操作までは第１の実行手順９１と同じであるが、３回目の操作では棒金トレー１０ｂを引き出しており、正規操作手順である。しかし４回目の操作では棒金トレー１０ｂを引き出したままの状態で棒金トレー１０ｃを引き出しており、正規トレー番号ＴＮｒ（４）と操作トレー番号ＴＮとが一致せず、不正操作として判断されている。
【００６９】
第４実施例においては、棒金トレー１０の操作は、引き出し／収納の操作のみである。従って、奇数回目の操作と偶数回目の操作における操作対象となるべき棒金トレー１０を同じとすることで、棒金トレー１０は常に引き出し／収納の操作が交互に行われるという第１実施例で示した条件も実現している。このように、複数の判断基準を設けて複数の条件によって正規操作手順であるか否かを判断することも可能である。
【００７０】
なお、第１実施例と同じく、変化点の値を用いて、正規操作手順を棒金トレー１０の操作順序と併せて判断するものとしても良い。この場合には、棒金トレー１０が引き出された時にのみ、トレー番号によって正規操作手順であるか否かの判断をするものとしても良い。
【００７１】
Ｅ．変形例：
なお、この発明は上記の実施例や実施形態に限られるものではなく、その要旨を逸脱しない範囲において種々の態様において実施することが可能である。例えば次のような変形も可能である。
【００７２】
Ｅ１．変形例１：
上記実施例においては、実行手順情報Ｉや、トレーカウンタ値Ｎ若しくは操作トレー番号ＴＮなどを設定し、正規操作手順から外れた不正操作であるか否かを判断しているが、その判断方法は、これらに限定されるものではなく、他の判断基準やアルゴリズムであっても良い。
【００７３】
例えば、棒金トレー１０が引き出された後に棒金が補充されて収納された場合に正規操作手順として判断し、引き出された後に収納された棒金トレー１０が空であった場合に不正操作として判断するものとしても良い。また、棒金トレー１０が引き出されたまま所定の時間が超過した場合に不正操作とするアルゴリズムとしても良い。
【００７４】
Ｅ２．変形例２：
上記実施例においては、正規操作手順として１種類の手順のみを定義していたが、複数の種類の正規操作手順を定義することもできる。そうすることにより、作業者の実行手順が複数の正規操作手順のいずれかに該当するものであれば、不正操作として判断されないものとすることができる。
【００７５】
Ｅ３．変形例３：
上記実施例においては、棒金払出機１００は、複数の棒金トレー１０を備えていたが、棒金トレー１０を備えたものでなくとも良い。例えば、シャッターを備えた複数の棒金収納口を有する棒金収納部においてシャッターの開閉操作によって操作手順を検出するものとしても良い。
【００７６】
Ｅ４．変形例４：
上記実施例においては、不正抑制処理として管理センターへの報告と、トレー固定ロック部６により全ての棒金トレー１０をロックする処理と、ブザー１２による警告が行われていたが、それ以外の処理がなされるものとしても良い。例えば、スピーカによる自動アナウンスが行われても良い。
【００７７】
Ｅ５．変形例５：
棒金払出機１００は、センター通信部２０５を備えておらず、外部ネットワークと接続することなく単体で設置されるものとしても良い。
【００７８】
Ｅ６．変形例６：
第３実施例においては、正規操作手順以外の操作手順を誤操作と不正操作の２種類に区分していたが、さらに複数種に区分されるものとしても良い。また、不正操作抑制処理もさらに複数の処理があるものとしても良い。
【図面の簡単な説明】
【００７９】
【図１】棒金払出装置の全体を示す斜視図。
【図２】棒金払出装置の内部構成を示すブロック図。
【図３】棒金収納部を拡大して示す概略図。
【図４】第１実施例における正規操作手順と実行手順を示す説明図。
【図５】第１実施例における主制御部の処理手順を示すフローチャート。
【図６】第２実施例における正規操作手順と実行手順を示す説明図。
【図７】第３実施例における正規操作手順と実行手順を示す説明図。
【図８】第３実施例における主制御部の処理手順を示すフローチャート。
【図９】第４実施例における正規操作手順と実行手順を示す説明図。
【符号の説明】
【００８０】
２…棒金収納部
３…操作パネル
４…棒金払出口
５…扉
６…トレー固定ロック部
８…扉ロック部
９…扉開閉検知センサ
１０…棒金トレー
１０ａ〜１０ｃ…棒金トレー
１２…ブザー
３０…トレー用センサ
３０ａ…発光部
３０ｂ…受光部
４１…第１の実行手順（第１実施例、第２実施例）
４２…第２の実行手順（第１実施例、第２実施例）
７１…第１の実行手順（第３実施例）
７２…第２の実行手順（第３実施例）
９１…第１の実行手順（第４実施例）
９２…第２の実行手順（第４実施例）
１００…棒金払出機
１０１…筐体
２００…主制御部
２０１…センサ制御部
２０２…ロック制御部
２０３…ブザー制御部
２０４…モータ制御部
２０５…センター通信部
２１０…正規操作手順記憶部
Ｉ…実行手順情報
Ｉｒ…正規操作手順情報
Ｉｗ…不正操作手順情報
Ｉｗ１…誤操作手順情報
Ｉｗ２…不正操作手順情報
Ｉｗ３…正規操作復帰手順情報
Ｎ…トレーカウンタ値
ＴＮ…操作トレー番号
ＴＮｒ（ｎ）…正規トレー番号
【図１】
2007328657.tif 000003
【図２】
2007328657.tif 000004
【図３】
2007328657.tif 000005
【図４】
2007328657.tif 000006
【図５】
2007328657.tif 000007
【図６】
2007328657.tif 000008
【図７】
2007328657.tif 000009
【図８】
2007328657.tif 000010
【図９】
2007328657.tif 000011